(57)【要約】  組漏斗は、大漏斗２１と、大漏斗内に組合わせることができる小漏斗４０と、どちらの漏斗にも着座可能な濾過器６０とを含む。大漏斗は濾過器を保持する突起を有し、濾過器は直立する中央把手軸部を有する。濾過器を大漏斗に着座させて小漏斗が大漏斗に組合されたとき、小漏斗の狭窄出口開口端は濾過器の把手軸部を受承し、小漏斗の把手先端は大漏斗の把手の開口に篏合する。両漏斗は、外面に周方向に離間して縦方向に配置されたエラストマー製条片３１と、把手にエラストマー製把持部３４とを有する。
2005511433.tif 000002
【特許請求の範囲】
【請求項１】
外側と内側を有するとともに、広い入口開口を画成する広い端部、および、細い出口開口を画成する狭い端部を有する伸長形状の中空本体と、
前記本体の前記外側に配設されて縦方向に延在し、離間した位置にて横外方に突出する複数の条片とを含み、
前記各条片がエラストマー材料で形成されている漏斗。
【請求項２】
前記条片が、前記本体の周囲に等角度に離間して配置されている請求項１に記載された漏斗。
【請求項３】
前記条片の数が三である請求項１に記載された漏斗。
【請求項４】
前記各条片が前記狭い端部から前記広い端部に向って延在している請求項１に記載された漏斗。
【請求項５】
前記各条片が、前記本体の前記広い端部からかなり離れていた位置にある上端部を有する請求項４に記載された漏斗。
【請求項６】
前記本体が前記外側に形成された複数の縦に延びる浅い溝を有し、前記条片が前記溝の各々に配設されている請求項１に記載された漏斗。
【請求項７】
前記本体が、横断面で、ほぼ円形である請求項１に記載された漏斗。
【請求項８】
外側と内側を有するとともに、広い入口開口を画成する広い端部、および、細い出口開口を画成する狭い端部を有する伸長形状の中空本体と、
前記広い端部に隣接して前記本体から横外方に延在する把手とを含み、
前記把手がエラストマー材料で形成された把持部を含む漏斗。
【請求項９】
前記把手が凸形上面を有し、先端で終っている請求項８に記載された漏斗。
【請求項１０】
前記把手が貫通口を有する請求項８に記載された漏斗。
【請求項１１】
前記把手の上面と下面の間に前記貫通口が延在しており、前記把持部が前記貫通口を通り、前記下面に沿って延在している請求項８に記載された漏斗。
【請求項１２】
前記把持部が前記貫通口を実質的に満たしている請求項１１に記載された漏斗。
【請求項１３】
前記本体の前記外側に配設されて縦方向に延在し、離間した位置にて横外方に突出する複数の条片を更に含み、前記各条片がエラストマー材料で形成されている請求項８に記載された漏斗。
【請求項１４】
前記条片の各々が、前記本体の前記狭い端部から前記広い端部へと延びる請求項１３に記載された漏斗。
【請求項１５】
組漏斗において、広い端部開口と狭い端部開口とを有するテーパ付き中空第一本体を有する比較的大きな第一漏斗と、
広い端部開口と狭い端部開口とを有するテーパ付き中空第二本体を有し、前記第一本体の前記広い端部開口に組込み受容できる寸法の第二漏斗と、
前記第一本体の前記広い端部開口と前記狭い端部開口との間に着座させることのできる寸法を有し、前記第一本体内への前記第二漏斗の組込みを妨げることのない濾過器とを含む組漏斗。
【請求項１６】
前記第一本体および前記第二本体の各々が、前記広い端部開口から前記狭い端部開口へと変化する傾斜面を含む湾曲形状を有する請求項１５に記載された組漏斗。
【請求項１７】
前記第一本体に前記広い端部開口と前記狭端部開口との中間点にて横内方に突出する突起が設けられ、これらが協働して前記濾過器を位置決めるようになっている請求項１５に記載された組漏斗。
【請求項１８】
前記濾過器が直立する中央把手軸部を有し、前記第二漏斗が前記第一漏斗に組合されるとき、前記中央把手軸部が前記第二本体の前記狭い端部開口内に受容されるようになっている請求項１５に記載された組漏斗。
【請求項１９】
前記第一漏斗および前記第二漏斗の各々が前記広い端部開口に隣接して横外方に延在する把手を有する請求項１５に記載された組漏斗。
【請求項２０】
前記各把手が貫通開口を有し、先端で終っており、前記第二漏斗が前記第一漏斗に組込まれる時に、前記第二漏斗の前記把手の前記先端が前記第一漏斗の前記把手の前記貫通開口に受容されるようになっている請求項１９に記載された組漏斗。
【請求項２１】
前記漏斗把手の各々が、エラストマー材料で形成された把持部を含む請求項１９に記載された組漏斗。
【請求項２２】
前記第一本体および前記第二本体の各々が、前記本体の前記外側に縦方向に延在して配設されて、離間した位置で横外方に突出する複数の条片を含む請求項１５に記載された組漏斗。
【発明の詳細な説明】
【技術分野】
【０００１】
本出願は、漏斗に係わり、具体的に言うと家庭用に設計された種類の漏斗に関するものである。とりわけ、本出願は異なる寸法の組漏斗（漏斗セット）に関するものである。
【背景技術】
【０００２】
これまで極めて多様な形状と寸法とを有する漏斗が、台所における使用や自動車用などを含む多種多様な一般家庭における用途のために提供されてきた。漏斗は、典型的には比較的広い口をした上側碗部と、物質が注入される関連容器の口に挿入されるように設計された狭い吐出口とを含む。漏斗には共通してテーパ付き吐出口が設けられ、多様に異なる寸法の容器頸部または入口開口に装着することができる。しかし、先行漏斗、とりわけ比較的短い吐出口または頸部を有する漏斗は使用中に脱落したり、傾動しがちであった。
【０００３】
また、異なる用途のために異なる寸法の漏斗を組合わせて提供することが知られている。しかしながら、これまで、そのような異なる寸法の漏斗を組合わせた組漏斗は、収納時に容易に小さく組合わせできるような設計にはなっていなかった。
【０００４】
組込みのまたは取外し可能な濾過器を備えた漏斗を提供することもまた知られているが、そのような濾過器は、典型的には特定の寸法および形状の漏斗に使用するように設計されていて、漏斗セットの組合せ易さを損ないがちである。
【０００５】
また、使用中の把持を容易にするために把手を有する漏斗を提供することも知られている。しかしながら、従来の斯かる把手は、組合わされた漏斗の収納性を低下させがちであり、また、比較的大きく、さらには、特に把持能力に障害を有する人々にとって確実に把持することが困難であった。
【発明の開示】
【発明が解決しようとする課題】
【０００６】
本出願は、改良された漏斗構造と漏斗一揃いとを開示するもので、先行漏斗構成の不都合を回避して新たな構造上ならびに使用上の利点を提供するものである。
【課題を解決するための手段】
【０００７】
一観点によれば、異なる寸法の容器開口に対して容易に使用可能であり、しかも、それらの開口内での横方向の滑動または摺動が阻止される漏斗が提供される。
【０００８】
別の観点によれば、前記の種類の漏斗が複数の漏斗を容易に組合せできる把持部を有する人間工学的に改良された把手を有する漏斗が提供される。
【０００９】
別の観点によれば、一つの漏斗を他の漏斗内に入れることによって容易に収納できる、異なる寸法の漏斗セットが提供される。
【００１０】
さらに別の観点によれば、異なる寸法の漏斗のいずれにも使用できる、取外し可能な濾過器を有する前記種類の漏斗セットが提供される。
【００１１】
前記観点と関連するさらに別の観点によれば、漏斗セットにおける隣接する漏斗間に濾過器を組合わせ収納できる前記種類の漏斗セットが提供される。
【００１２】
保護を求める主題の理解を容易にする目的のために、実施例が添付図に示されており、それを見ることにより、また、以下の説明を合わせて検討することにより、保護されるべき主題、その構成と作用、および多数の利点が容易に理解され、評価されるはずである。
【実施例１】
【００１３】
図１〜図５に、全体を符号２０で指示される漏斗セットが示されており、これは、大漏斗２１、小漏斗４０、および濾過器６０を含み、図４からよく判るように、それらは、収納時に互いに組合わせできる形状と寸法とを有している。また、図６〜図８を見ると、大漏斗２１は、高熱に耐える適切な合成樹脂をモールド成形して形成された一体構成の本体２２を有し、沸騰液の注入にも使用可能であり、また大漏斗が使用に供される一般家庭用液体または薬品に対して耐性を有するように設計されている。好適材料としては、ナイロンまたはポリプロピレンが含まれる。本体２２は、横断面がほぼ円形で、縦断面は連続した曲線状の可変傾斜を有し、比較的大径の上側碗部２３を含み、碗部下端はテーパ付き頸部２４によって短い、ほぼ円筒形の吐出口２５に結合されている。吐出口２５は細い端部で終端をなし、細い出口開口が形成される。碗部２３の上端に外曲の縁２６が設けられて、漏斗２０の広い入口開口を画成し、一方の側に、横外方に突出し、貫通形成された概ね楕円形の開口４８を有する把手２７が付されている。本体２２の内面から横内方には等角度に離間する三つの、短い突起２９が突出し（図４と図７）、以下でさらに十分に説明される目的のために、漏斗２１の縦方向軸線に対してほぼ垂直な共通面に配置されている。
【００１４】
本体２２の外面には等角度に離間する三本の、浅い凹みまたは溝３０が形成され（図８参照）、吐出口２５の先端から碗部２３の下部領域へと縦に延びている。各々の溝３０はほぼ矩形で、上端部は丸みを有する。三本の溝の各々には、ＳＡＮＴＯＰＲＥＮＥの商品名で販売されているようなエラストマーで形成された細細長い条片３１が固定され、たとえば図２、図６に見られるように、各々の条片３１は本体２２の外面から僅かに外方に突出する厚さを有するが、上端部３２において本体２２の外面へと移行するために少しずつ薄くなっている。凸形上面と凹形下面とを有する把手２７は僅かに湾曲し、縁２６の高さより僅か上方に突出し、先端で終っているが、図５、図６によく見られる様に、先端が縁２６の高さより僅かに低くなっていてもよい。把手２７には条片３１に使用されるのと同じ材料であるエラストマーで形成された把持パッド３４が配置されている。把持パッド３４は開口２８の内部を内張りするとともに、把手２７の下部のほぼ全面を被覆して碗部２３の外部に沿って僅かに下方へ延びる下部３５と、開口２８の周縁に延在する上部３６とを有する。
【００１５】
把持パッド３４は、改良された摩擦把持面として作用して使用者の親指と人差し指で把手２７を把持することを容易にし、とりわけ把手２７が濡れている時に有用であることが分かるであろう。頸部２４のテーパ構造は、漏斗２１を多種多様に異なる寸法の容器開口に対して容易に使用できるようにする。条片３１は、漏斗が関連容器の開口に対してしっかりと摩擦篏合し、容器頸部において横滑り、または回転摺動することを阻止し、これにより使用中の漏洩の可能性を最小限にすることができる。また、条片３１は本体２２との間の領域に空気口を形成し、充填されている容器からの空気の排除を容易にする。
【００１６】
同様に図９〜図１２を見ると、小漏斗４０は小さい寸法で、それゆえに幾分異なる形状を有し、また突起２９がないという点を除くと、大漏斗２１と同様の構成である。さらに具体的に言うと、小漏斗４０は、大漏斗２１の本体２２と同材料で形成された一体成型の本体４２を有する。本体４２は大径の碗部４３を有し、その下端はテーパ付き頸部４４によって短い円筒形の吐出口４５に結合され、細い端部で終端をなし、細い出口開口が形成される。碗部４３の上端には横方向に外曲する縁４６がその周囲に渡って設けられ、漏斗４０の広い注入口または口状部を画成し、一方には横外方に突出する把手４７が設けられ、把手４７は、大漏斗２１の把手２７と同様に湾曲し、貫通形成された概ね楕円形の開口４８を有する。
【００１７】
本体４２の外面には等角度に離間する位置に三本の、浅い凹みまたは溝５０が形成され（図１２参照）、その各々は吐出口４５の先端から縦方向に碗部４３の高さに沿ってほぼ中間点まで延びている。各々の溝５０はほぼ矩形で、上端部は丸みを有する。三本の溝５０の各々には、前記の条片３１と同材料であるエラストマー材料で形成された細長い条片５１が取付けられている。各々の条片５１は本体４２の外面から僅かに外方に突出する厚さを有するが、上端部５２において本体４２の外面へと移行するために少しずつ薄くなっている。把手４７には、前記の把持パッド３４と同じエラストマー材料で形成された把持パッド５４が配置されている。把持パッド５４は、把手４７の下部のほぼ全面を被覆して碗部４３の外面に沿って僅かな距離下方へ延びる下部５５を有する（図１０参照）。また、把持パッド５４は、開口４８を貫通して延在するとともに開口４８を埋める上部５６を有する。小漏斗４０は前記の大漏斗２１と実質的には同様に機能する。例えば図１〜図５に図示するように、小漏斗４０は収納のために大漏斗２１の内部に組合わされる寸法と形状とを有していることが分かるであろう。これに関連して、大漏斗２１の把手２７に設けられた開口２８には小漏斗把手４７の先端が納まる（図１と図４参照）。
【００１８】
ここで同様に図１３〜図１７を見ると、濾過器６０は、好ましくは単一で一体構成の、全体的には浅い碗状に形成され、穿孔された合成樹脂製本体６１を含む。濾過器６０を、たとえば漏斗２１，４０に使用されるのと同じ種類の材料を用いて成型することができる。本体６１は、複数のほぼ円形の貫通して設けられた開口６２を有し、僅かに大きい円形の中央開口６３が貫通して設けられる。本体６１の上端縁には丸みを持つ周方向の縁６４が設けられる。把手６５は、本体６１の上面中央部から上方に突出する。把手６５は、中央開口６３と同軸で中央開口６３に連通し、外面に複数の等角度に離間し、縦に延びて本体６１の上面に接合された補強フランジ６７が設けられた中空の円筒形軸部６６を含む。軸部６６の上端には内向きに傾斜する対向側面６８が設けられ、協働して薄肉で平坦な把持部６９を画成する。
【００１９】
使用時には、図４と図１０に示すように、濾過器６０は大漏斗２１または小漏斗４０のいずれかに着座させられ、注入される液体などを漉して微粒子を除去する。濾過器６０は、その縁６４が大漏斗２１の突起２９にパチンと嵌ることができるように形成されていて、突起２９は図４に示すように濾過器６０を当位置に保持するのに役立つ。
【００２０】
重要なことは、図３と図４に見られるように、組漏斗の三つの構成要素のすべてが収納時には互いに組合せることが可能であるということである。この目的のために、濾過器６０が大漏斗２１に着座させられ、次に小漏斗４０が大漏斗２１に組合され、濾過器６０の把手６５が小漏斗４０の吐出口４５に上向きに入り込むことにより三構成要素が同軸構成に維持される。
【００２１】
前記説明に記載された内容と添付図は、例示のためだけに提供されたものであって、制限するためではない。特定の実施例が開示され説明されたが、当業者には出願人の貢献内容の広い側面から逸脱することなく変更と修正を加え得ることは明白であろう。保護を求める実際の範囲は、先行技術に基づいて適切に評価した場合の各請求項で定義されるはずである。
【図面の簡単な説明】
【００２２】
【図１】組合わされた状態の組漏斗の斜視図。
【図２】図１の漏斗の側面図。
【図３】図２の組漏斗を反時計回りに９０度回転させた上面図。
【図４】図３の線４−４による断面図。
【図５】図１の漏斗の縮尺分解斜視図。
【図６】図１の組漏斗を構成する大漏斗の正立正面図。
【図７】図６の漏斗の拡大上面図。
【図８】図６の漏斗の拡大底面図。
【図９】図１の組漏斗を構成する小漏斗の正立正面図。
【図１０】内部に着座する図５の濾過器が破線で示されている図９の漏斗の側面図。
【図１１】図９の漏斗の拡大上面図。
【図１２】図９の漏斗の拡大底面図。
【図１３】図１〜図５の組漏斗を構成する濾過器の拡大斜視図。
【図１４】図１３の濾過器の縮尺底面図。
【図１５】図１３の濾過器の縮尺上面図。
【図１６】図１５の濾過器の正立正面図。
【図１７】図１５の濾過器の側面図。
【図１８】図１６の線１８−１８に沿う断面図。
【符号の説明】
【００２３】
２０  組漏斗
２１  大漏斗
２２  本体
２３  碗部
２４  頸部
２５  吐出口
２６  縁
２７  把手
２８  開口
２９  突起
３０  溝
３１  条片
３２  上端部
３４  把持パッド
３５  下部
３６  上部
４０  小漏斗
４２  本体
４３  碗部
４４  頸部
４５  吐出口
４６  縁
４７  把手
４８  開口
５０  溝
５１  条片
５２  上端部
５４  把持パッド
５５  下部
５６  上部
６０  濾過器
６１  本体
６２  開口
６３  中央開口
６４  縁
６５  把手
６６  軸部
６７  フランジ
６８  側面
６９  把持部
【図１】
2005511433.tif 000003
【図２】
2005511433.tif 000004
【図３】
2005511433.tif 000005
【図４】
2005511433.tif 000006
【図５】
2005511433.tif 000007
【図６】
2005511433.tif 000008
【図７】
2005511433.tif 000009
【図８】
2005511433.tif 000010
【図９】
2005511433.tif 000011
【図１０】
2005511433.tif 000012
【図１１】
2005511433.tif 000013
【図１２】
2005511433.tif 000014
【図１３】
2005511433.tif 000015
【図１４】
2005511433.tif 000016
【図１５】
2005511433.tif 000017
【図１６】
2005511433.tif 000018
【図１７】
2005511433.tif 000019
【図１８】
2005511433.tif 000020
【国際調査報告】
2005511433.tif 000021